(57)【特許請求の範囲】
【請求項１】
流水制御弁と警報発生手段からなり、前記流水制御弁は、一次側の流入口と二次側の流出口を有し、かつ、両者間に弁座を介して弁室を形成した弁本体と、前記弁室に、前記流入口から流出口への流水圧によって開かれるよう回動可能にスピンドルまわりに軸支された逆止弁体を有し、前記スピンドルは前記逆止弁体と共に回動可能に装着されて一端を前記弁本体の外部へ突出しており、
前記警報発生手段は警報手段と、前記スピンドルの突出端の回動角を検出して前記警報手段を開閉作動するリミットスイッチとからなる作動弁型の流水検知装置において、
前記弁本体の外部に回転体を前記スピンドルと平行な軸まわりに回転可能に軸支し、この回転体と前記スピンドルの突出端とを、前記スピンドルの開き回動速度を減衰する手段を介して連結しており、このスピンドルの開き回動速度減衰手段は、前記スピンドルの突出端に一端が固定されたアームと、該アームの他端と前記回転体とを連結して該アームを弁閉じ回動方向に引張付勢する減衰用引張ばねとからなり、前記減衰用引張ばねの自由長と同長のスリーブがこれの両端を前記アームと前記減衰用引張ばね一端部との固定部と、前記回転体の前記減衰用引張ばね他端部との固定部にそれぞれ当接するように、前記減衰用引張ばねに外嵌されており、
前記回転体に、円周一部を直線状に切り欠いた直線部と、円弧部とからなる切欠円周部を設け、前記リミットスイッチはこれのアクチュエータを常態時に前記直線部に位置させてスイッチオフに、前記回転体の回転に伴い前記アクチュエータが前記円弧部に移動してスイッチオンになるようにし、スイッチオンにより前記流水制御弁内に水が流れたことを検知し前記警報手段が警報を発するようにしてあることを特徴とする流水検知装置。
【請求項２】
流水制御弁と警報発生手段からなり、前記流水制御弁は、一次側の流入口と二次側の流出口を有し、かつ、両者間に弁座を介して弁室を形成した弁本体と、前記弁室に、前記流入口から流出口への流水圧によって開かれるよう回動可能にスピンドルまわりに軸支された逆止弁体を有し、前記スピンドルは前記逆止弁体と共に回動可能に装着されて一端を前記弁本体の外部へ突出しており、
前記警報発生手段は警報手段と、前記スピンドルの突出端の回動角を検出して前記警報手段を開閉作動するリミットスイッチとからなる作動弁型の流水検知装置において、
前記弁本体の外部に回転体を前記スピンドルと平行な軸まわりに回転可能に軸支し、この回転体と前記スピンドルの突出端とを、前記スピンドルの開き回動速度を減衰する手段を介して連結しており、このスピンドルの開き回動速度減衰手段が、前記スピンドルの突出端に一端が固定されたアームと、該アームの他端と前記回転体とを連結して該アームを弁閉じ回動方向に引張付勢する減衰用引張ばねとからなり、前記減衰用引張ばねのばね力より小さい戻し用引張ばねの一端を前記弁本体の外部に固定し、該戻し用引張ばねの他端を、前記減衰用引張ばねが前記回転体を引張付勢する方向とは逆方向に前記回転体を引張付勢するように前記回転体に固定してあり、
前記回転体に、円周一部を直線状に切り欠いた直線部と、円弧部とからなる切欠円周部を設け、前記リミットスイッチはこれのアクチュエータを常態時に前記直線部に位置させてスイッチオフに、前記回転体の回転に伴い前記アクチュエータが前記円弧部に移動してスイッチオンになるようにし、スイッチオンにより前記流水制御弁内に水が流れたことを検知し前記警報手段が警報を発するようにしてあることを特徴とする流水検知装置。
【請求項３】
前記回転体に、前記切欠円周部と同心円の円周部を設け、この円周部にギヤ歯を設け、前記弁本体の外部に、一方向への回転が他方向への回転よりも抵抗負荷の大きいギヤを有するロータリーダンパーを固定し、前記ギヤ歯と前記ロータリーダンパーのギヤとは、該ギヤの抵抗負荷の大きい回転方向が前記アームの弁開き方向回転に伴い減衰用引張ばねを介して回転する回転体の回転方向とは反対になるように噛合させてある請求項１又は２記載の流水検知装置。
【発明の詳細な説明】
【０００１】
【発明の属する技術分野】
本発明は、スプリンクラー設備に使用されるスウィング作動弁型の流水検知装置に関する。
【０００２】
【従来の技術】
この種の作動弁型の流水検知装置は、一次側から二次側への流水により逆止弁体が開き回動すると、該逆止弁体と共に回動するスピンドルの一端部により信号発生手段が駆動されて信号を出力し、電気的に警報を発するものとなっている。通常、流水検知装置１個に対し、二次側には複数個のスプリンクラーヘッドが設置されている。そして火災が発生し、スプリンクラーから放水が行われると、流水検知装置の一次側から二次側への流水に応じて逆止弁体が回動し、逆止弁体と共に回動するスピンドルの回動角をセンサで検出して警報を発する。その感知は、スプリンクラー１個の流水量（５０ｌ／min  at  1kgf ／cm2 ）から複数個（通常、数十個）の流量範囲において検知されるものでなければならない。
【０００３】
【発明が解決しようとする課題】
しかるに、作動弁型の上記流水検知装置では、実際に火災が発生していなくても、例えば二次側配管での漏水や点検中の少量の出水等により、また他の防火区域への送水のためのポンプ起動に際して流水検知装置の逆止弁体が僅かに開き回動する。この逆止弁体の僅かな回動角度は、火災発生によりスプリンクラー１個が作動したときの逆止弁体の回動角度とそれ程の差が無く、また、一般に角度変化による感知方法は誤差が出やすく、設定感知角度は実際、感知角度を広く含む為、感知してはならない角度と感知しなくてはならない角度との間での警報感知角度の設定は非常に難しく、又実火災が無くても警報するという誤報も多発していた。
また、他の防火区域へ送水するためにポンプを起動するに際して、流水検知装置からスプリンクラーヘッドまでの二次側配管内に空気溜まりが生じる場合がある。こうした場合、まとまった量の水が流水検知装置の逆止弁体を瞬時に大きく開き、通過した水は配管内空気を過圧縮した後、一部の水は逆止弁体を逆流した後一旦逆止弁体を閉止し、次に数回同様な状態を繰り返すが、この時流水検知装置内の通水を検知し、火災報知するという誤報が発生する。
【０００４】
そこで本発明の目的は、このような問題を解消するためになされたもので、非火災時の少量通水時、また瞬間通水時における誤報を確実に予防でき、火災警報の確実性を図ることのできる流水検知装置を提供することにある。
【０００５】
【課題を解決するための手段】
本発明の請求項１に係る発明は、流水制御弁と警報発生手段からなり、前記流水制御弁は、一次側の流入口と二次側の流出口を有し、かつ、両者間に弁座を介して弁室を形成した弁本体と、前記弁室に、前記流入口から流出口への流水圧によって開かれるよう回動可能にスピンドルまわりに軸支された逆止弁体を有し、前記スピンドルは前記逆止弁体と共に回動可能に装着されて一端を前記弁本体の外部へ突出しており、前記警報発生手段は警報手段と、前記スピンドルの突出端の回動角を検出して前記警報手段を開閉作動するリミットスイッチとからなる作動弁型の流水検知装置において、前記弁本体の外部に回転体を前記スピンドルと平行な軸まわりに回転可能に軸支し、この回転体と前記スピンドルの突出端とを、前記スピンドルの開き回動速度を減衰する手段を介して連結しており、このスピンドルの開き回動速度減衰手段は、前記スピンドルの突出端に一端が固定されたアームと、該アームの他端と前記回転体とを連結して該アームを弁閉じ回動方向に引張付勢する減衰用引張ばねとからなり、前記減衰用引張ばねの自由長と同長のスリーブがこれの両端を前記アームと前記減衰用引張ばね一端部との固定部と、前記回転体の前記減衰用引張ばね他端部との固定部にそれぞれ当接するように、前記減衰用引張ばねに外嵌されており、前記回転体に、円周一部を直線状に切り欠いた直線部と、円弧部とからなる切欠円周部を設け、前記リミットスイッチはこれのアクチュエータを常態時に前記直線部に位置させてスイッチオフに、前記回転体の回転に伴い前記アクチュエータが前記円弧部に移動してスイッチオンになるようにし、スイッチオンにより前記流水制御弁内に水が流れたことを検知し前記警報手段が警報を発するようにしてあることを特徴とする。
【０００６】
【０００７】
請求項２に係る発明は、請求項１に記載のスリーブに代えて、前記減衰用引張ばねのばね力より小さい戻し用引張ばねを採用することを特徴とする。戻し用引張ばねはこれの一端を前記弁本体の外部に固定し、他端を、前記減衰用引張ばねが前記回転体を引張付勢する方向とは逆方向に前記回転体を引張付勢するように前記回転体に固定する。
【０００８】
請求項３に係る発明は、請求項１又は請求項２に記載の発明において、ロータリーダンパーを付加することを特徴とする。すなわち、上記回転体に、上記切欠円周部と同心円の円周部を設け、この円周部にギヤ歯を設け、上記弁本体の外部に、一方向への回転が抵抗負荷の大きいギヤを有するロータリーダンパーを固定し、上記ギヤ歯と前記ロータリーダンパーのギヤとは、該ギヤの抵抗負荷の大きい回転方向が前記アームの弁開き方向回転に伴い減衰用引張ばねを介して回転する回転体の回転方向とは反対になるように噛合させる。
【０００９】
【作用】
請求項１に記載の発明によれば、流水制御弁内を一次側から二次側へ水が流れるに伴い逆止弁体が開き回動し、同時にスピンドルが回動し、このとき開き回動速度減衰手段を介して回転体が回転し、回転体の回転に伴い直線部に位置していたリミットスイッチのアクチュエータは円弧部に移動してスイッチオンの状態となり、流水制御弁内を水が流れたことを検知する。
この時、開き回動速度減衰手段の減衰作用により、スピンドルが回動しても回転体は直ぐに回転を始めずに遅れて徐々に回転する。従って、リミットスイッチのアクチュエータも直線部に位置したままで直ぐには円弧部に移動しないため、スイッチオンの状態も遅れる結果となり、流水制御弁内の少量通水や瞬間的にまとまった通水時に誤って警報を発することが無くなる。
【００１０】
請求項１に記載の発明によれば、流水制御弁内を一次側から二次側へ水が流れるに伴い逆止弁体が開き回動し、同時にスピンドル、アームが回動し、この時減衰用引張ばねは伸びて回転体を引っ張って回転させ、回転体の回転に伴い直線部に位置していたリミットスイッチのアクチュエータは円弧部に移動してスイッチオンの状態となり、流水制御弁内を水が流れたことを検知する。
この時、減衰用引張ばねの伸び作用により、スピンドル、アームが回動しても回転体は直ぐに回転を始めずに遅れて徐々に回転する。従って、リミットスイッチのアクチュエータも直ぐには円弧部に移動しないため、スイッチオンの状態も遅れる結果となり、流水制御弁内の少量通水や瞬間的にまとまった通水時に誤って警報を発することが無くなる。
【００１１】
流水が停止し逆止弁体が閉止状態に戻るときは、これと同時にスピンドル、アームが戻り回動し、アームの戻り回動に伴い該アームと減衰用引張ばね端部との固定部がスリーブを押し動かし、スリーブは回転体と減衰用引張ばね端部との固定部を押して回転体を元の位置にまで押し戻し回転させる作用を働く。
【００１２】
請求項２に記載の発明によれば、流水が停止し逆止弁体が閉止状態に戻ると同時にスピンドル、アームが戻り回動する時に、戻し用引張ばねが回転体を元の位置に戻す方向に引っ張り力を働く。
逆止弁体が開き回動すると同時にスピンドル、アームが回動する時に、減衰用引張ばねが回転体を遅速回転させる引っ張り作用を働くことは、請求項１に記載の発明の場合と同様である。
【００１３】
請求項３に記載の発明によれば、逆止弁体が開き回動すると同時にスピンドル及びアームが回動する時に、ロータリーダンパーが減衰用引張ばねの作用とともに、回転体を遅速回転させる作用を働く。
【００１４】
【発明の実施の形態】
（実施例１）
図１は本発明に係る流水検知装置の縦断面図、図２は図１におけるＡ−Ａ線断面図、図３は同装置の側面図、図４は図３における要部拡大図、図５は図４におけるＢ−Ｂ線断面図である。図１及び図２において、１は流水検知装置を構成する流水制御弁、２は弁本体で、送水ポンプ側に接続される一次側の流入口３と、スプリンクラーヘツド側に接続される二次側の流出口４とを有し、両者の間に弁座５を介して弁室６が形成されている。弁室６の一側方には排水管に接続される排水口７を有し、その排水口７と直交する他側方には開口部８を有し、この開口部８を蓋９で塞いでいる。弁室６には逆止弁体１０が、流入口３から流出口４への流水圧によってスピンドル１１まわりに開き回動可能に軸支されている。逆止弁体１０は円盤状に形成されてこの一端に軸通孔１２を有するハブ１３を突設し、その軸通孔１２にスピンドル１１を嵌合するとともに、ハブ１３及びスピンドル１１に抜止ピン１４を直交状に打ち込むことによりスピンドル１１が逆止弁体１０と一体的に結合される。
【００１５】
図２において、弁本体２の弁室６の内面に一対のボス１５，１６が相対向状に突設され、一方のボス１５には軸孔１７を盲状にあけ、他方のボス１６には軸孔１８を弁本体２の内外方向にわたって貫通するようにあける。そして、逆止弁体１０のハブ１３の一端から突出するスピンドル１１の一端は弁室６内の一方のボス１５の軸孔１７に挿入し、ハブ１３の他端から突出するスピンドル１１の他端を、他方のボス１６の軸孔１８に挿入した別のスピンドル１９の一端に軸接手２０を介して連結する。軸接手２０は弁本体２のボス１６に挿通されたスピンドル１９の端にピン２１を直交状に植設する一方、逆止弁体１０に挿通されたスピンドル１１の端に盲孔２２及び溝２３を設けてその溝２３に前記ピン２１を嵌合させてなる。
【００１６】
図１において、上記逆止弁体１０はこれの下端面１０ａから円弧状突起体２７を流入口３側へ向けて突設する。その円弧状突起体２７は逆止弁体１０の回動中心を中心として描く円弧状に、かつ弁座５の内径よりも僅かに小さい直径をもつ断面円形状に形成されるとともに、その上端に小径の凸部２８が設けられる。そして円弧状突起体２７は凸部２８を逆止弁体１０の流入口側に面する下端面１０ａに設けた凹部２９に嵌合固定するとともに、逆止弁体１０の上端面からねじ３０をねじ込み、このねじ３０の締めつけで逆止弁体１０に円弧状突起体２７が一体的に結合される。例えば、弁座５の内径は３６mm、円弧状突起体２７の直径は３１mm、円弧状突起体２７の突出端面２７ａと逆止弁体１０の下端面１０ａとが成す角度θは３０°とする。これにより弁座５の内周と円弧状突起体２７との間に環状のすきま部３１が形成され、このすきま部３１の断面を通常の流路断面積よりも小さく設定する。
【００１７】
図３ないし図５において、上記スピンドル１９の弁本体２の外部に突出した端部１９ａの近傍位置には、このスピンドル１９の回動角検出用のリミットスイッチ２４を設置する。このリミットスイッチ２４は、逆止弁体１０と共に回動するスピンドル１１，１９の回動角を検出してベルやランプ等の警報手段３２を作動させるという警報発生手段を構成する。
弁本体２の外部に、リミットスイッチ２４を開閉作動させるための回転体３３を軸支し、この回転体３３とスピンドル１９の突出端部１９ａとを、スピンドル１９の開き回動速度減衰手段を介して連結する。
この開き回動速度減衰手段は、回転体３３を弁本体２の外部にスピンドル１９と平行な軸３４まわりに回転可能に軸支する。回転体３３は径大の円周部３５と、該円周部３５と同心でかつ該円周部３５より小径の切欠円周部３６とを段差をつけて設けてあり、径大の円周部３５にはギヤ歯３７を設ける。切欠円周部３６は直線部３６ａと円弧部３６ｂとからなる。前記リミットスイッチ２４はこれのアクチュエータ３８を常態時に直線部３６ａに位置させてスイッチオフに、回転体３３の回転に伴い円弧部３６ｂに移動してスイッチオンになるようにしてある。
【００１８】
スピンドル１９の突出端部１９ａにはアーム３９の一端を結合固定する一方、回転体３３に減衰用引張ばね４０の一端をピン４１を介して結合固定して、アーム３９の他端と減衰用引張ばね４０の他端とをピン４２を介して結合固定する。このようにアーム３９と回転体３３とを連結する減衰用引張ばね４０は、アーム３９を弁閉じ回動方向Ａに引張付勢する。減衰用引張ばね４０の外周にはスリーブ４３がはめ込まれ、このスリーブ４３は減衰用引張ばね４０の自由長と同長に形成され、このスリーブ４３の両端はアーム３９と減衰用引張ばね４０の端部との固定部であるピン４０と、回転体３３の減衰用引張ばね４０の端部との固定部であるピン４１にそれぞれ当接させる。
【００１９】
上記弁本体２の外部には、一方向への回転が他方向への回転よりも抵抗負荷の大きいギヤ４４を備えたロータリーダンパー４５をねじ４６で装着固定する。そしてロータリーダンパー４５のギヤ４４と上記回転体３３のギヤ歯３７とを、ギヤ４４の抵抗負荷の大きい回転方向がアーム３９の弁開き方向Ｂ回転に伴い減衰用引張ばね４０を介して回転する回転体３３の回転方向とは反対になるように噛合させる。
前記ロータリーダンパー４５としては、例えば、図６及び図７に示すものを使用する。そこでは、ケース５０の内部に封入した高粘性のグリースの粘性で軸５１まわりの回転を重くする負荷輪５２を内蔵する。前記ギヤ４４は軸５１の上端に固着し、この軸５１と負荷輪５２との間にワンウェイクラッチを設ける。そのワンウェイクラッチは、図７（Ａ）のように軸５１が負荷輪５２に対して反時計回り方向に回転すると、ゴム製リテーナ５３の弾性ひれ部５４の弾性作用で針状ころ５５は、負荷輪５２の上下端に一体接合化してあるカム板５６のカム面５７のかみ合い位置に進み、カム面５７と軸５１とのくさび作用で負荷輪５２を緩慢に回転させる。つまり、この回転方向がギヤ４４の抵抗負荷の大きい回転方向と一致する。図７（Ｂ）のように軸５１が時計回り方向に回転すると、針状ころ５５はカム面５７から離れ、軸５１は空転する。これ以外にロータリーダンパー４５としては、不二精器（株）製のＦＲＮ−Ｄ２のロータリーダンパーなどが好ましい。
【００２０】
しかるときは、流水制御弁１内を一次側から二次側へ水が流れるに伴い逆止弁体１０が開き回動し、同時にスピンドル１９、アーム３９が回動し、この時減衰用引張ばね４０は伸びて回転体３３を引っ張って回転させ、回転体３３の回転に伴い直線部３６ａに位置していたリミットスイッチ２４のアクチュエータ３８は円弧部３６ｂに移動してスイッチオンの状態となり、流水制御弁１内を水が流れたことを検知し、警報手段３２が電気的に警報を発する。
この時、回転体３３とギヤ４４を介して噛合しているロータリーダンパー４５と減衰用引張ばね４０の作用により、回転体３３を遅れて回転させる。すなわち、ロータリーダンパー４５は減衰用引張ばね４０の引張力で回転体３３を回転させる方向に応じた回転方向には抵抗が大きくかかるために、流水によりスピンドル１９、アーム３９が回動し、減衰用引張ばね４０が引っ張り状態になっても回転体３３はすぐに回転を始めず、徐々に回転する。従ってリミットスイッチ２４のアクチュエータ３８も直ぐには円弧部３６ｂに移動しないため、スイッチオンの状態も遅れる結果となる。従って、流水制御弁１内を少量の水が流れる時や瞬間的にまとまった水が流れる時の誤報を防止できる。
【００２１】
逆止弁体１０は円弧状突起体２７を有し、この円弧状突起体２７と弁座５との間に環状のすきま部３１を形成し、このすきま部３１の流路断面積は通常の流路断面積に比較して非常に小さくしてあるため、二次側配管での漏水や点検中の少量の出水等による少量の流水により逆止弁体１０が急激に大きく回動し、それに伴い回動するスピンドル１１，１９の回動角度も急激に大きく作動する。円弧状突起体２７の先端面２７ａが弁座５から離れる開き回動終点以後は、流路径が弁座５の内径となるので、流量が大きく増えてもスピンドル１１，１９の回動角度はそれ程大きく変動しない。従って、実火災によるスプリンクラー作動時の最低流水量である５０ｌ／min  at  1kgf ／cm2 を円弧状突起体２７の開き回動終点の目安とし、その時のスピンドル回動角度（例えば、３０°）より小さい角度（例えば、２８°）を感知角度に設定する。これにより、流水検知装置内の通水量が少ない時のスピンドル回動角度と、スプリンクラー１個が作動し放水した時のスピンドル回動角度との差を大きく採ることができるため、前記減衰用引張ばね４０の作用と相まって非火災時の少量通水時の誤報防止に一段と有利となる。
【００２２】
流水が停止し逆止弁体１０が閉止状態に戻るときは、これと同時にスピンドル１９、アーム３９が戻り回動し、このアーム３９の戻り回動に伴いピン４２でスリーブ４３を押し動かし、スリーブ４３はピン４１を押して回転体３３を元の位置、即ちリミットスイッチ２４のアクチュエータ３８が直線部３６ａに位置する状態にまで押し戻し回転させる。
【００２３】
（実施例２）
図８は本発明の第２実施例を示す。この実施例では、上記スリーブ４３に代えて、減衰用引張ばね４０とは別の戻し用引張ばね４７を採用する。この戻し用引張ばね４７は、減衰用引張ばね４０とはばね力を小さくし、かつそれとは別箇所における弁本体２の外部と回転体３３との間に張設するが、この戻し用引張ばね４７は、減衰用引張ばね４０が回転体３３を引張付勢する方向とは逆方向に回転体３３を引張付勢するように回転体３３に固定される。
しかるときは、流水が停止し逆止弁体１０が閉止状態に戻ると同時にスピンドル１９、アーム３９が戻り回動する時に、戻し用引張ばね４７が回転体３３を引っ張って元の位置に戻す。その他の構成は上記実施例１の場合と同様である。これにおいても、上記実施例１の場合と同様に、ロータリーダンパー４５と減衰用引張ばね４０の作用により、回転体３３を遅れて回転させる。
【００２４】
なお、各実施例において、逆止弁体１０としては円弧状突起体２７を有するものが前述のように流水検知装置内の少量通水時の誤報防止に有利であるが、こうした逆止弁体１０に限られず、図９に示すように円弧状突起体２７を有しない、通常のフラットな逆止弁体１０にも同様に適用できることは言うまでもない。
【００２５】
【発明の効果】
請求項１に記載の発明によれば、流水制御弁内を一次側から二次側へ水が流れるに伴い逆止弁体が開き回動する同時にスピンドル、アームが回動する時、開き回動速度減衰手段により回転体は遅れて回転し、リミットスイッチのスイッチオンの状態も遅れるようにした。したがって、流水制御弁内を少量の水が流れる時や瞬間的にまとまった量の水が流れる時の誤報を防止できる。
【００２６】
請求項１に記載の発明によれば、流水制御弁内を一次側から二次側へ水が流れるに伴い逆止弁体が開き回動する同時にスピンドル及びアームが回動する時、減衰用引張ばねの伸び作用により回転体は遅れて回転し、リミットスイッチのスイッチオンの状態も遅れるようにした。したがって、流水制御弁内を少量の水や瞬間的にまとまった量の水が流れる時の誤報を防止できる。流水が停止し逆止弁体が閉止状態に戻るときは、スリーブにより回転体をリミットスイッチのスイッチオフ状態にする原位置に確実に復帰させることができる。
【００２７】
請求項２に記載の発明によれば、減衰用引張ばねにより回転体を遅らせて回転し、リミットスイッチのスイッチオンの状態も遅れるようにすることで、流水制御弁内の少量通水時や瞬間的にまとまった量の水が流れる時の誤報を防止できる効果以外に、戻し用引張ばねにより回転体をリミットスイッチのスイッチオフ状態にする原位置に確実に復帰させることができる効果を奏する。
【００２８】
請求項３に記載の発明によれば、逆止弁体が開き回動すると同時にスピンドル、アームが回動する時に、ロータリーダンパーによっても、回転体を遅れて回転させるようにしてあるので、請求項１又は２記載の発明の減衰用引張ばねとしてばね力の小さいものを用いても所期の目的を達成することができる。
【図面の簡単な説明】
【図１】  一実施例の流水検知装置の縦断面図である。
【図２】  図１におけるＡ−Ａ線断面図である。
【図３】  流水検知装置の側面図である。
【図４】  図３における要部の拡大図である。
【図５】  図４におけるＢ−Ｂ線断面図である。
【図６】  流水検知装置に備えたロータリーダンパーの断面図である。
【図７】  図６に示すロータリーダンパーの作動図である。
【図８】  他の実施例の流水検知装置を図３に相応して示す側面図である。
【図９】  更に他の実施例の流水検知装置を図１に相応して示す縦断面図である。
【符号の説明】
１  流水制御弁
２  弁本体
３  流入口
４  流出口
５  弁座
６  弁室
１０  逆止弁体
１１，１９  スピンドル
２４  リミットスイッチ
３２  警報手段
３３  回転体
３５  円周部
３６  切欠円周部
３６ａ  直線部
３６ｂ  円弧部
３７  ギヤ歯
３８  アクチュエータ
３９  アーム
４０  減衰用引張ばね
４３  スリーブ
４４  ギヤ
４５  ロータリーダンパー
４７  戻し用引張ばね
【図１】
0003655978.tif 000002
【図２】
0003655978.tif 000003
【図３】
0003655978.tif 000004
【図４】
0003655978.tif 000005
【図５】
0003655978.tif 000006
【図６】
0003655978.tif 000007
【図７】
0003655978.tif 000008
【図８】
0003655978.tif 000009
【図９】
0003655978.tif 000010